(57)【特許請求の範囲】
【請求項１】
パチンコ球が貯留される球貯留部の底壁に球抜き孔を開設した皿部と、前記球貯留部の底壁の裏側に常に前記球抜き孔を閉じるように付勢されるシャッター板とを備えたパチンコ機における球受皿の球抜き装置において、
前記シャッター板が前記球抜き孔を閉塞している状態でパチンコ球を底壁で支承する保持部を前記皿部に設けると共に該保持部と連接して該皿部の前面で外部と連なる投入溝を該保持部に向かって下傾して設け、前記シャッター板が前記球抜き孔を開放する位置で前記投入溝から送り込まれたパチンコ球を前記保持部と該シャッター板の下面との間に係脱自在に挟着し、同時に該パチンコ球により前記シャッター板を前記球貯留部の底壁裏面側に押圧して停止保持するようにしたことを特徴とするパチンコ機における球受皿の球抜き装置。
【請求項２】
前記保持部は前記シャッター板の摺動方向に沿ってパチンコ球が一個通過し得る程度の幅を有し、パチンコ球が無用に転がらないよう停止保持させるための浅窪部を前記保持部と直行状に設けたことを特徴とする請求項１記載のパチンコ機における球受皿の球抜き装置。
【請求項３】
前記シャッター板に前記保持部のパチンコ球を弾発的に押圧保持する弾性片を一体に設けたことを特徴とする請求項１又は２記載のパチンコ機における球受皿の球抜き装置。
【請求項４】
前記保持部に弾性を付与し該保持部のパチンコ球を前記シャッター板に弾発的に押圧保持するようにしたことを特徴とする請求項１乃至３のいずれかに記載のパチンコ機における球受皿の球抜き装置。
【発明の詳細な説明】
【０００１】
【発明の属する技術分野】
本発明は、遊技中のパチンコ球を利用してシャッター板を球抜き孔が開放される位置に停止保持できるようにしたパチンコ機における球受皿の球抜き装置に関するものである。
【０００２】
【従来の技術】
従来、この種の球受皿の球抜き装置であって、遊技中のパチンコ球を利用して球抜き孔を開放する位置で、シャッター板を停止保持させるようにしたものが、例えば特開平２−１５４７７６号公報に記載の如く知られている。この公報に記載のものは、下皿の前方下縁に水平方向に沿って案内縁を形成すると共に、下皿に開設された排出口を閉止する方向にスプリングにより付勢された摺動蓋と、該摺動蓋を摺動可能に支持する蓋枠部材と、摺動蓋を操作する摺動レバーとからなるスライド蓋機構を設け、摺動レバーと摺動蓋との間に下皿の案内縁に嵌入する受溝を形成し、また案内縁にはパチンコ球が嵌入可能な凹陥部を設け、摺動蓋を摺動させて排出口を開放したときに凹陥部にパチンコ球を嵌入させ、このパチンコ球に摺動蓋の摺動レバーの前端面を当接させることにより摺動蓋を停止保持するようにしており、しかもこの球を摺動レバーに埋設した磁石に吸着させてその位置を安定させている。
【０００３】
【発明が解決しようとする課題】
このように前記公報に記載のものは、球を嵌入させる凹陥部が小さく、しかも下皿の案内縁に外部に露出させて設けられており、凹陥部のみで支持することができず、凹陥部へ嵌入した時又は摺動レバーに無用な衝撃が加った時などパチンコ球が落ち易いという問題があった。
【０００４】
しかも、一方の手で摺動レバーを引いた状態で他方の手でパチンコ球を扱うなど両手を使わねばならないので、操作ハンドルを操作することができず、遊技中に、すなわち操作ハンドルを持ったままで前記摺動蓋を開放した位置に停止保持することは困難であり、不都合を生ずる。
【０００５】
それ故に本発明の目的は、このような従来の課題を解決したパチンコ機における球受皿の球抜き装置を提供しようとするものである。
【０００６】
【課題を解決するための手段】
上記目的を達成するために、請求項１記載の発明は、パチンコ球が貯留される皿部の底壁に球抜き孔を開設し、該底壁の裏側に常に球抜き孔を閉じるように付勢されるシャッター板を可動自在に設けたパチンコ機における球受皿の球抜き装置において、前記皿部またはシャッター板の少なくともいずれか一方に外部からのパチンコ球を保持する保持部を設け、該保持部のパチンコ球によりシャッター板を球抜き孔を開放する位置に停止保持するようにしたことを特徴とする。
【０００７】
また、請求項２記載の発明は、請求項１記載の発明において、前記保持部にパチンコ球が無用に転がらないよう停止保持させるための浅窪部を設けるようにした。
【０００８】
また、請求項３記載の発明は、請求項１または２記載の発明において、前記保持部と連通して外部からのパチンコ球を保持部へ送り込むための投入溝を設けた。
【０００９】
また、請求項４記載の発明は、請求項１ないし３のいずれかに記載の発明において、前記保持部のパチンコ球を弾発的に押圧保持するための弾性片を一体に設けるようにした。
【００１０】
また、本発明のパチンコ機における球受皿の球抜き装置は、パチンコ機の前面枠の前面に設けられる打球供給用の打球供給皿または該打球供給皿の余剰球を貯留する下部球受皿のいずれにも適用可能であるのは勿論のこと、下部球受皿の下方に位置する球箱の球抜き装置にも適用可能である。
【００１１】
【発明の実施の形態】
以下に本発明に係る下部球受皿の球抜き装置の一実施例を図面と共に説明する。図１はパチンコ機の正面図であり、図において１は機枠、２は機枠１の前面に開閉自在に装着される前面枠で、その前面にはガラス枠３とその下方に前板４が開閉自在に装着される。前記ガラス枠３の後方には遊技盤５が配置され、該遊技盤５の表面にガイドレール６が敷設されている。前記前板４の前面には打球供給皿７が取り付けられている。また、前面枠２の下部には操作ハンドル８と前記打球供給皿７の余剰球を貯留する下部球受皿９が取り付けられている。
【００１２】
図２は下部球受皿９の斜視図、図３は球抜き装置を分解して示す斜視図、図４は下部球受皿の平面図をそれぞれ示す。下部球受皿９は取付基板１０の前面に皿部１１が装着されており、該皿部１１に取付基板１０に開設される余剰球排出用の排出口１２と連なる球貯留部１３が設けられている。また、該球貯留部１３の底壁１４に図４に示すよう円形の球抜き孔１５が開設されている。
【００１３】
皿部１１下面には、皿部の一部である箱枠状の支持枠１６を介して、前記球抜き孔１５を開閉させるシャッター板１８が介装されている。該シャッター板１８は支持枠１６に装填させたコイルスプリング１９の付勢で常に球抜き孔１５を閉塞させるようにしてあり、前側に支持枠１６から突出する操作レバー２０が設けられている。
【００１４】
また、皿部１１の一部となす支持枠１６は、上面が開放され且つ平面長方形をしており、一側に前記球抜き孔１５に連通する円形の通孔１７が開設されている。そして、皿部１１の底壁１４裏側にビスＰを介して取付けられ、シャッター板１８が底壁１４と支持枠１６との間で水平方向へ摺動自在に可動するようになっている。
【００１５】
しかして、前記支持枠１６には前記シャッター板１８の摺動方向に沿ってパチンコ球が一個通過し得る程度の幅を有する保持部としての保持溝２１が設けられている。この保持溝２１は通孔１７とは反対側の一側端に支持枠１６の前側で外部と連なり内側に向って下傾する投入溝２２が連接されており、また、その一側端部の底壁２１ａに図６（ａ）に示すようパチンコ球をころがらない程度に支承させる浅窪部２３が保持溝２１と直交状に設けられている。さらに、この保持溝２１の底壁２１ａは他側端に向い若干下傾しており、その下側端に落下孔２４が開設されている。
【００１６】
また、シャッター板１８の裏面には保持部としての係合凹部２５が設けられ、該係合凹部２５は、該シャッター板１８が球抜き孔１５を開放した時、支持枠１６に設けた保持溝２１の浅窪部２３の真上に位置する。そして、係合凹部２５と底壁２１ａの浅窪部２３との間は、その間にパチンコ球が嵌入して、該パチンコ球によりシャッター板１８が上方へ押圧され停止保持されるように距離が設定されている。なお、前記係合凹部２５の一側縁はシャッター板１８がスムースに摺動できるようにテーパー面に形成されて、パチンコ球Ｂを係合凹部２５に係合しやすいようになっている。
【００１７】
このように構成した本発明の球抜き装置では、シャッター板１８が球抜き孔１５を閉塞している時、支持枠１６に設けた保持溝２１内に、図５，図６（ａ）に示すように下部球受皿前側の投入溝２２からパチンコ球Ｂを１個投入させて、浅窪部２３内に支承させる。そして、操作レバー２０を操作してシャッター板１８を球抜き孔１５を開放するまで摺動させる。すると、図６（ｂ）に示すようシャッター板１８の裏面に設けた係合凹部２５が前記パチンコ球Ｂの上面に係合する。この状態では、パチンコ球Ｂは係合凹部２５と浅窪部２３との間できつく挟着され、同時にそのパチンコ球によりシャッター板１８が皿部１１の底壁１４の裏面側へ押されて停止保持され、操作レバー２０から手を離しても球抜き孔１５の開放状態を維持する。
【００１８】
このように球抜き孔１５を開放し続けているシャッター板１８を球抜き孔１５を閉塞する元の位置に戻すには、図６（ｃ）の矢視方向へ操作レバー２０を動かすと、係合凹部２５に係合されているパチンコ球Ｂが、該係合凹部２５の移動に伴ない図６（ｃ）の実線から鎖線位置へ移動し、ついで傾斜面に形成されている底壁２１ａ上面を転動し、落下孔２４から下方へ落下する。そして、パチンコ球Ｂによるロック状態から開放されたシャッター板１８はコイルスプリング１９の付勢によって、図６（ａ）および図７の実線に示す位置に復帰して球抜き孔１５を閉塞する。
【００１９】
また、図８および図９に示すように、投入溝２２ａの先端を上方へ屈曲させて側面Ｌ形状の筒体に形成するようにしてもよく、この実施の形態ものは投入溝２２ａの上面で開口する投入口２６にパチンコ球Ｂを投入することでその投入が容易になり、不用意にパチンコ球をホール床面に転落させたりすることがなくなる。しかも、複数のパチンコ球Ｂを投入しておくことにより、その後は操作レバー２０の作動のみで球抜き孔１５の開放状態が連続して行うことができる。
【００２０】
図１０および図１１は、係合凹部２５をシャッター板１８ａに設けた弾性片２７の裏面に一体に形成し、弾発性を保有させるようにした実施の形態を示している。この実施の形態のものは係合凹部２５が弾発することで図１１に示すようにパチンコ球Ｂの上面に係合させる際の動作がスムースに行なえて、しかも係合状態は弾発によって確実にかつ強固に持続される。また、これにより本実施の形態のような係合凹部２５などの動作時の摩耗による損耗が少なくなる。なお、当然のことながら前記保持溝２１に弾発性を保有させるようにしてもよい。
【００２１】
【発明の効果】
以上に述べたように本発明のパチンコ機における球受皿の球抜き装置は、前記皿部またはシャッター板の少なくともいずれか一方に外部からのパチンコ球を保持する保持部を設け、球抜き孔が開放される位置で、保持部のパチンコ球によりシャッター板を停止保持するようにしたので、片手で操作レバーを操作するワンタッチ動作で安定した状態でシャッター板を開成状態に停止保持できる。
【００２２】
また、シャッター板を閉成するワンタッチ動作でもって同時に、シャッター板を開放状態に停止させていたパチンコ球を回収することができ、遊技中一方の手でハンドルを握っても、他方の手でこれら動作が簡単に行なえ、不都合を生じることはない。
【図面の簡単な説明】
【図１】パチンコ機の正面図。
【図２】下部球受皿の斜視図。
【図３】下部球受皿から球抜き装置を分解して示す斜視図。
【図４】下部球受皿の平面図。
【図５】図４のＸ−Ｘ線断面図。
【図６】作用を説明する要部の断面図。
【図７】図６（ｂ）におけるＹ−Ｙ線矢視図。
【図８】他の実施の形態を示す下部球受皿の斜視図。
【図９】同上要部の断面図。
【図１０】他の実施の形態を示すシャッター板の斜視図。
【図１１】同上要部の断面図。
【符号の説明】
７                打球供給皿（球受皿）
９                下部球受皿（球受皿）
１１              皿部
１４              底壁
１５              球抜き孔
１６              支持枠（皿部）
１８，１８ａ      シャッター板
２１              保持溝（保持部）
２２              投入溝
２３              浅窪部
２５              係合凹部（保持部）
２７              弾性片
【図１】
0003607172.tif 000002
【図２】
0003607172.tif 000003
【図３】
0003607172.tif 000004
【図４】
0003607172.tif 000005
【図５】
0003607172.tif 000006
【図６】
0003607172.tif 000007
【図７】
0003607172.tif 000008
【図８】
0003607172.tif 000009
【図９】
0003607172.tif 000010
【図１０】
0003607172.tif 000011
【図１１】
0003607172.tif 000012